(57)【特許請求の範囲】
【請求項１】
被写体を撮像して撮像データを生成する撮像手段と、
現在時刻を計時して時刻情報を出力する計時手段と、
前記撮像データおよび前記時刻情報を記憶媒体に記憶する記憶手段と、
前記記憶媒体に記憶した前記撮像データおよび前記時刻情報を再生する再生手段と、
各種の情報を表示する表示手段と、
この表示手段を制御して、前記撮像手段による被写体の撮像を行うときには、前記時刻情報を表示させ、前記記録媒体への前記撮像データの記憶を指示する所定の操作が入力されたときには、前記時刻情報の表示を停止させる制御手段と
を備える撮像装置。
【請求項２】
前記制御手段は、前記再生手段が、前記記憶媒体に記憶された前記撮像データの再生を行うときには、前記時刻情報の表示を停止させる
ようにした請求項１に記載の撮像装置。
【請求項３】
前記制御手段は、前記撮像手段による被写体の撮像を行うときには、前記時刻情報を所定の期間にわたって表示させ、前記所定の操作が未入力のまま前記所定の期間が経過したときに、前記時刻情報の表示を停止させる
ようにした請求項１に記載の撮像装置。
【請求項４】
前記制御手段は、前記時刻情報を前記表示手段の所定の領域に表示させるとともに、他の情報を前記時刻情報よりも内側の領域に表示させ、前記時刻情報を表示停止させたときに、前記他の情報の表示を前記所定の領域に変更させる
ようにした請求項１に記載の撮像装置。
【請求項５】
前記撮像データおよび前記時刻情報の記憶時、前記撮像データと前記時刻情報とが前記記憶媒体の別のエリアに記憶される
ようにした請求項１に記載の撮像装置。
【請求項６】
前記記憶媒体は磁気テープであり、
前記撮像データおよび前記時刻情報が前記磁気テープにデジタル記録される
ようにした請求項１に記載の撮像装置。
【請求項７】
被写体を撮像して撮像データを生成する撮像ステップと、
現在時刻を計時して時刻情報を出力する計時ステップと、
前記撮像データおよび前記時刻情報を記憶媒体に記憶する記憶ステップと、
前記記憶媒体に記憶した前記撮像データおよび前記時刻情報を再生する再生ステップと、
各種の情報を表示する表示ステップと、
この表示ステップを制御して、前記撮像ステップによる被写体の撮像を行うときには、前記時刻情報を表示させ、前記記録媒体への前記撮像データの記憶を指示する所定の操作が入力されたときには、前記時刻情報の表示を停止させる制御ステップと
を有する撮像方法。
【発明の詳細な説明】
【０００１】
【発明の属する技術分野】
この発明は、映像信号の記録装置に関する。
【０００２】
【従来の技術】
ビデオカメラが一体化されたＶＴＲには、日付および時刻をモニタ画面に表示したり、テープに記録したりする機能が用意されている。そして、ビデオ信号をデジタル信号の状態で記録再生するデジタル式のＶＴＲにおいては、その日付および時刻のデータを、ビデオ信号とは別に記録するようにしている。
【０００３】
したがって、再生時、その再生画面の中に日付および時刻が表示されることがなく、例えば、そのビデオ信号を２次使用するときの妨げになることがない。しかも、必要なときには、記録した日付および時刻を知ることもできる。
【０００４】
【発明が解決しようとする課題】
ところが、日付および時刻のデータをビデオ信号とは別に記録する場合には、その日付および時刻の確認方法が問題になってしまう。
【０００５】
すなわち、日付および時刻の確認のため、これを表示する方法として、
(1) 特定のボタン操作をしたとき、日付および時刻を表示する。
(2) 電源の投入時から一定の期間、日付および時刻を表示する。
が考えられる。なお、どちらの場合も、日付および時刻は、記録モニタの画面の中に表示するのが普通である。
【０００６】
そして、(1)項の方法には、日付および時刻を表示させるための専用の操作ボ タンを設ける方法と、メニューを表示し、その中から日付および時刻の表示の項目を選択する方法とがある。しかし、前者の方法では操作ボタンの数が増えてしまい、後者の方法では表示の操作がめんどうである。
【０００７】
また、(2)項の方法には、日付および時刻の表示期間内であっても、記録を開 始できるようにする方法と、日付および時刻の表示期間を終了してから、記録を開始できるようにする方法とがある。しかし、前者の方法では、記録される画像に、日付および時刻の数字が含まれてしまうものと間違えてしまうことがあり、後者の方法ではシャッターチャンスを逃し、記録の冒頭が欠けてしまうことがある。
【０００８】
この発明は、これらの問題点を解決しようとするものである。
【０００９】
【課題を解決するための手段】
この発明においては、
被写体を撮像して撮像データを生成する撮像手段と、
現在時刻を計時して時刻情報を出力する計時手段と、
前記撮像データおよび前記時刻情報を記憶媒体に記憶する記憶手段と、
前記記憶媒体に記憶した前記撮像データおよび前記時刻情報を再生する再生手段と、
各種の情報を表示する表示手段と、
この表示手段を制御して、前記撮像手段による被写体の撮像を行うときには、前記時刻情報を表示させ、前記記録媒体への前記撮像データの記憶を指示する所定の操作が入力されたときには、前記時刻情報の表示を停止させる制御手段と
を備える撮像装置
とするものである。
したがって、電源投入時、所定の期間あるいは操作ボタンが操作されるまで、日付や時刻が表示される。
【００１０】
【発明の実施の形態】
図１は、この発明を、ＤＶ方式のビデオカメラ一体型のＶＴＲに適用した場合の一例を示し、符号１０は、その一体型ＶＴＲである。
【００１１】
このＶＴＲ１０は、撮像部１１および信号処理回路１２を有する。そして、撮像部１１は、撮像レンズおよびＣＣＤ撮像素子などを有し、被写体を撮像して例えば点順次の色信号を出力する。また、信号処理回路１２は、色差信号の形成回路やエンコーダ回路などを有し、撮像部１１から出力される色信号を処理して例えばＮＴＳＣ方式のカラー映像信号Ｓ12に変換する。
【００１２】
さらに、ＶＴＲ１０は、記録回路１４、記録再生用の回転磁気ヘッド１５および再生回路１７を有する。そして、記録回路１４は、Ａ／Ｄコンバータ回路、エラー訂正用のエンコーダ回路および記録用の変調回路などを有し、これにカラー映像信号Ｓ12が供給されたとき、その信号Ｓ12をＤＶ方式における記録信号に変換する。
【００１３】
また、回転磁気ヘッド１５には、磁気テープ１６が所定の角範囲にわたって斜めに巡らされるとともに、このテープ１６は、記録時および再生時には、所定の速度で走行させられる。そして、記録時には、記録信号がヘッド１５によりテープ１６に斜めの磁気トラックとして記録され、再生時には、ヘッド１５によりテープ１６から信号が再生される。また、再生回路１７は、再生用の復調回路、エラー訂正用のデコーダ回路およびＤ／Ａコンバータ回路などを有し、テープ１６の再生信号からもとのカラー映像信号Ｓ12を取り出す。
【００１４】
さらに、ＶＴＲ１０は、表示回路２３を有するとともに、表示デバイスあるいはビューファイダとして、例えばカラーＬＣＤパネル２４を有する。そして、表示回路は２３は、記録あるいは再生時のカラー映像信号をＬＣＤパネル２４に対応した表示信号に変換してＬＣＤパネル２４に供給する。
【００１５】
また、システム制御用としてマイクロコンピュータ３１が設けられ、このマイクロコンピュータ３１から、撮像部１１、信号処理回路１２、記録回路１４、再生回路１７および後述するスイッチ回路２１に所定の制御信号がそれぞれ供給される。また、マイクロコンピュータ３１には、現在時刻を計時する時計回路３２と、信号形成回路３３とが接続される。
【００１６】
この形成回路３３は、時計回路３２の計時する日付および時刻のデータを記録用のフォーマットのデータ信号Ｄ33に変換するとともに、各種の表示を行うための表示信号Ｓ33を形成するものである。この場合、表示信号Ｓ33は、時計回路３２の計時する日付および時刻のデータから変換されて日付および時刻を表示するための信号と、動作状態や有効とされている機能などを示す文字（数字および記号を含む）を表示するための信号とから構成される。
【００１７】
さらに、形成回路３３において、データ信号Ｄ33を記録するときのタイミングを示す信号が形成されてスイッチ回路１３に制御信号として供給されるとともに、表示信号Ｓ33により表示を行うときのタイミングを示す信号が形成されてスイッチ回路２２に制御信号として供給される。なお、この例においては、日付および時刻などの表示は、撮像部１１の撮像した画像にスーパーインポーズにより表示するものとする。
【００１８】
また、マイクロコンピュータ３１には、そのＣＰＵ（図示せず）が実行するプログラムの一部として、例えば図２に示すようなルーチン１００が用意される。このルーチン１００は、日付および時刻の表示を制御するためのものであり、その詳細については後述する。なお、図２においては、ルーチン１００は、この発明に関係する部分だけを抜粋して示している。
【００１９】
さらに、マイクロコンピュータ３１には、各種の操作ボタン（操作スイッチ）３４が接続される。そして、この操作ボタン３４のうちのボタン３４Ａは、電源／モードスイッチとして作用するものであり、例えば図３に示すように、電源オフ、カメラモード、ＶＴＲモードの切り換え位置を有する。
【００２０】
このような構成において、電源投入時、記録および再生の動作が以下のように行われる。
【００２１】
・電源の投入時（カメラモードのとき）
これは、操作ボタン３４Ａを電源オフの位置からカメラモードの位置に切り換えた場合である。すなわち、この切り換えを行うと、ＶＴＲ１０のメイン電源がオフからオンとされ、撮像部１１から被写体を撮像した色信号が出力され、この色信号が信号処理回路１２によりカラー映像信号Ｓ12に変換されて出力されるようになる。
【００２２】
また、このとき、マイクロコンピュータ３１における処理がルーチン１００のステップ１０１からスタートし、次にステップ１０２において、操作ボタン３４Ａの切り換え位置が判別され、今の場合、カメラモードの位置に切り換えられているので、処理はステップ１０２からステップ１１１に進む。
【００２３】
そして、このステップ１１１において、マイクロコンピュータ３１からの制御信号によりスイッチ回路２１が、図のようにカメラ側接点Ｃに接続される。したがって、信号処理回路１２からのカラー映像信号Ｓ12が、スイッチ回路２１の接点Ｃを通じてスイッチ回路２２に供給されるようになる。
【００２４】
続いて、処理はステップ１１２に進み、このステップ１１２において、時計回路３２が日付および時刻を正常に計時しているかどうかが判別される。これは、例えば、このＶＴＲ１０を前年の運動会以来使用していなかったため、バックアップ用の電池（図示せず）がダウンしているなどの理由により、日付および時刻の計時にエラーを生じていることがあるからである。
【００２５】
そして、時計回路３２が日付および時刻を正常に計時しているときには、処理はステップ１１２からステップ１１３に進み、このステップ１１３において、形成回路３３に所定のコマンドおよびデータが供給され、表示信号Ｓ33が形成される。この場合、この表示信号Ｓ33には、時計回路３２の計時する日付および時刻のデータから形成された日付および時刻の表示信号と、ＶＴＲ１０の動作開始を示すオープニングメッセージの表示信号とが含まれる。
【００２６】
さらに、このとき、形成回路３３から所定の制御信号がスイッチ回路２２に供給され、スイッチ回路２２からは、信号処理回路１２からのカラー映像信号Ｓ12に、表示信号Ｓ33がスーパーインポーズされたカラー映像信号が取り出され、このカラー映像信号が表示回路２３に供給される。
【００２７】
したがって、ＬＣＤパネル２４の画面には、例えば図４Ａに示すようなオープニング画面が表示される。すなわち、カラー映像信号Ｓ12により撮像部１１の撮像した被写体の画像が表示される。また、表示信号Ｓ33により、画面の下側に、時計回路３２の計時している日付▲１▼および時刻▲２▼がスーパーインポーズにより表示される。さらに、表示信号Ｓ33により、画面の中央にオープニングメッセージがスーパーインポーズにより表示される。
【００２８】
こうして、操作ボタン３４Ａを電源オフの位置からカメラモードの位置に切り換えると、例えば図４Ａに示すようなオープニング画面が表示される。
【００２９】
続いて、処理はステップ１１３からステップ１２１に進み、このステップ１２１において、操作ボタン３４のうち、記録ボタンあるいは再生ボタンが押されているかどうかが判別される。そして、記録ボタンおよび再生ボタンのどちらも押されていないときには、処理はステップ１２１からステップ１２２に進み、このステップ１２２において、例えばステップ１１３が実行されてから第１の所定の期間、例えば３秒が経過したかどうかが判別される。
【００３０】
そして、３秒が経過していないときには、処理はステップ１２２からステップ１２４に進み、このステップ１２４において、例えばステップ１１３が実行されてから第２の所定の期間、例えば５秒が経過したかどうかが判別される。そして、５秒が経過していないときには、処理はステップ１２４からステップ１２２に戻る。
【００３１】
したがって、ステップ１１３により日付および時刻が表示されると、以後、ステップ１２１、１２２、１２４が繰り返されることになるので、操作ボタン３４Ａを電源オフの位置からカメラモードの位置に切り換えると、例えば図４Ａに示すようにオープニング画面の表示状態が続行される。
【００３２】
しかし、このオープニング画面の表示が開始されてから３秒が経過すると、これがステップ１２２により検出され、処理はステップ１２２からステップ１２３に進む。このステップ１２３においては、マイクロコンピュータ３１から形成回路３３に所定のコマンドおよびデータが供給され、形成回路３３から出力される表示信号Ｓ33は、時計回路３２の計時する日付および時刻のデータから形成された日付および時刻の表示信号と、動作状態や有効とされている機能などを示す表示信号とを有するようにされる。
【００３３】
したがって、ＬＣＤパネル２４の画面には、例えば図４Ｂに示すように、撮像部１１の撮像した被写体の画像が表示されるとともに、その画面の下側に、時計回路３２の計時している日付▲１▼および時刻▲２▼がスーパーインポーズにより表示される。さらに、日付▲１▼および時刻▲２▼の上部に、動作状態や有効とされている機能などを示す文字▲３▼などが表示され、画面の上部に内蔵電池の残量を示す記号▲４▼がスーパーインポーズにより表示される。
【００３４】
こうして、操作ボタン３４Ａを電源オフの位置からカメラモードの位置に切り換えてから３秒が経過すると、それまでのオープニング画面（例えば図４Ａ）が、例えば図４Ｂに示すように現在の状態を示す画面に切り換えられる。
【００３５】
そして、その後、処理はステップ１２３からステップ１２４に進み、以後、ステップ１２１、１２２、１２３、１２４が繰り返される。したがって、操作ボタン３４Ａを電源オフの位置からカメラモードの位置に切り換えてから３秒が経過すると、例えば図４Ｂに示すように現在の状態を示す画面の表示状態が続行される。
【００３６】
しかし、操作ボタン３４Ａを電源オフの位置からカメラモードの位置に切り換えてから５秒が経過すると、これがステップ１２４により検出され、処理はステップ１２４からステップ１２５に進む。
【００３７】
このステップ１２５においては、マイクロコンピュータ３１から形成回路３３に所定のコマンドおよびデータが供給され、形成回路３３から出力される表示信号Ｓ33は、動作状態や有効とされている機能などを示す表示信号だけとされ、日付および時刻を表示する表示信号は含まないようにされる。
【００３８】
したがって、ＬＣＤパネル２４の画面には、例えば図４Ｃに示すように、撮像部１１の撮像した被写体の画像が表示されるとともに、その画面の下側に、動作状態や有効とされている機能などを示す文字▲３▼などが表示され、画面の上部に内蔵電池の残量を示す記号▲４▼がスーパーインポーズにより表示される。
【００３９】
こうして、操作ボタン３４Ａを電源オフの位置からカメラモードの位置に切り換えてから５秒が経過すると、それまでの現在の状態を示す画面（例えば図４Ｂ）が、例えば図４Ｃに示すような待機状態を示す画面に切り換えられる。なお、このとき、文字▲３▼の表示位置は、日付および時刻▲１▼が表示されていたときの位置に変更され、撮像部１１の撮像した画像の表示の妨げとならないようにされている。また、以後、待機中は、この表示状態が続行される。
【００４０】
そして、処理はステップ１２５からステップ１３１に進み、このステップ１３１において、操作ボタン３４の入力待ちとなり、どれかの操作ボタンの押されたとき、処理はステップ１３１からステップ１３２に進み、その押された操作ボタンに対応した処理が実行される。
【００４１】
また、ＬＣＤパネル２４に例えば図４Ａのオープニング画面が表示されているとき、あるいは例えば図４Ｂの現在の状態の画面が表示されているとき、すなわち、ステップ１２１〜１２４が繰り返されているとき、操作ボタン３４のうちの記録ボタンあるいは再生ボタンが押されると、これがステップ１２１において検出され、処理はステップ１２１からステップ１４１に進む。
【００４２】
そして、このステップ１４１において、ステップ１２５と同様、マイクロコンピュータ３１から形成回路３３に所定のコマンドおよびデータが供給され、形成回路３３から出力される表示信号Ｓ33は、動作状態や有効とされている機能などを示す表示信号だけとされ、日付および時刻を表示する表示信号は含まないようにされる。
【００４３】
したがって、ＬＣＤパネル２４の画面には、例えば図４Ｃに示すように、撮像部１１の撮像した被写体の画像が表示されるとともに、その画面の下側に、ビデオカメラとしての動作状態や有効とされている機能などを示す文字▲３▼などが表示され、画面の上部に内蔵電池の残量を示す記号▲４▼がスーパーインポーズにより表示されるようになる。
【００４４】
すなわち、操作ボタン３４Ａを電源オフの位置からカメラモードの位置に切り換えてから５秒が経過するまでの期間に、記録ボタンあるいは再生ボタンを押すと、それまでの表示画面（例えば図４Ａあるいは図４Ｂ）が、例えば図４Ｃに示す画面に切り換えられる。
【００４５】
そして、その後、処理はステップ１３２に進み、記録ボタンあるいは再生ボタンのうちの押された操作ボタンに対応した動作状態となる。
【００４６】
さらに、ステップ１１２において、時計回路３２が日付および時刻を正常に計時していないときには、処理はステップ１１２からステップ１５１に進み、このステップ１５１において、マイクロコンピュータ３１から形成回路３３に所定のコマンドおよびデータが供給され、形成回路３３から出力される表示信号Ｓ33は、エラーメッセージの表示信号とされる。したがって、ＬＣＤパネル２４には、時計回路３２が日付および時刻を正常に計時していないことを示すエラーメッセージが例えば５秒間表示される。
【００４７】
そして、その後、処理はステップ１２５に進み、したがって、ＬＣＤパネル２４の表示は、例えば図４Ｃの表示に変更され、ステップ１３１により操作ボタン３４の入力待ちとなる。
【００４８】
・電源の投入（ＶＴＲモードのとき）
これは、操作ボタン３４Ａを電源オフの位置からＶＴＲモードの位置に切り換えた場合である。すなわち、この切り換えを行うと、撮像部１１および信号処理回路１２を除いてＶＴＲ１０のメイン電源がオフからオンとされる。
【００４９】
そして、マイクロコンピュータ３１の処理がルーチン１００のステップ１０１からスタートし、次にステップ１０２において、操作ボタン３４Ａの切り換え位置が判別され、今の場合、ＶＴＲモードの位置に切り換えられているので、処理はステップ１０２からステップ１６１に進む。
【００５０】
そして、このステップ１６１において、マイクロコンピュータ３１からの制御信号によりスイッチ回路２１が、図１とは逆にＶＴＲ側接点Ｖに接続され、その後、処理はステップ１６２に進み、このステップ１６２において、待機状態となり、操作ボタン３４が操作されると、その操作されたボタンに対応した処理が実行される。
【００５１】
・記録
記録時には、信号処理回路１２からカラー映像信号Ｓ12が取り出されるとともに、形成回路３３からデータ信号Ｓ33が取り出され、これら信号Ｓ12、Ｄ33がスイッチ回路１３に供給されるとともに、スイッチ回路１３が形成回路３３からの制御信号により制御され、スイッチ回路１３からは、カラー映像信号Ｓ12と、データ信号Ｄ33とが所定のタイミングで取り出される。そして、この取り出された信号Ｓ12、Ｄ33が記録回路１４に供給され、回転ヘッド１５によりテープ１６に記録される。
【００５２】
したがって、撮像部１１により撮像された被写体のカラー映像信号Ｓ12がテープ１６に記録されるとともに、このとき、時計回路３３の計時している日付および時刻もテープ１６の信号Ｓ12の記録エリアとは別のエリアに記録される。すなわち、カラー映像信号Ｓ12と、データ信号Ｄ33とは、再生時に分離可能なようにテープ１６に記録される。
【００５３】
また、このとき、信号処理回路１２からのカラー映像信号Ｓ12が、スイッチ回路２１のカメラ側接点Ｃおよびスイッチ回路２２を通じて表示回路２３に供給され、したがって、ＬＣＤパネル２４には、撮像中の画像が表示される。なお、このとき、上述のように表示信号33により文字▲３▼や記号▲４▼が、スーパーインポーズにより表示される。
【００５４】
・再生
再生時には、ヘッド１５によりテープ１６から信号が再生され、その再生信号が再生回路１７に供給されてカラー映像信号Ｓ12と、データ信号Ｄ33とが取り出される。そして、このカラー映像信号Ｓ12が、スイッチ回路２１のＶＴＲ側接点Ｖおよびスイッチ回路２２を通じて表示回路２３に供給され、ＬＣＤパネル２４には、再生画像が表示される。
【００５５】
また、再生回路１７からのデータ信号Ｄ33がマイクロコンピュータ３１に供給され、記録時の日付や時刻のデータとして使用される。
【００５６】
・まとめ
図１に示すビデオカメラ一体型ＶＴＲ１０においては、電源を投入すると、例えば５秒間、日付および時刻が表示されるので、これにより日付および時刻を確認することができる。したがって、例えば海外で時差の補正を必要としたとき、間違った日付および時刻を記録することがなくなる。しかも、日付および時刻を表示するために特別のキー操作を必要としない。
【００５７】
また、日付および時刻が表示されている期間であっても、記録を開始することができるので、記録の冒頭が欠けることがない。さらに、画像の中に日付および時刻が表示されても、記録を開始すると、日付および時刻は表示されなくなるので、日付および時刻が画像の中に含まれて記録されるものと間違えることもない。
【００５８】
なお、上述においては、日付および時刻の表示が電源の投入時だけであるが、ルーチン１００を例えば図５に示すように構成すれば、待機状態でも、日付および時刻を表示させることができる。すなわち、ステップ１３１により入力待ちとなっている場合に操作ボタン３４が押されたときには、ステップ１７１により日付および時刻の表示用のボタンが押されたかどうかを判別し、日付および時刻の表示用のボタンではないときには、処理はステップ１７１からステップ１３２に進み、日付および時刻の表示用のボタンのときには、処理はステップ１７１からステップ１１２に戻るようにすればよい。
【００５９】
また、上述においては、カラー映像信号Ｓ12を磁気テープ１６に記録する場合であるが、ＣＤ−ＲやＤＶＤ−Ｒなどの記録媒体に記録する場合も、この発明を適用することができる。
【００６０】
この明細書で使用している略語の一覧
Ａ／Ｄ    ：Analog to Digital
ＣＣＤ    ：Charge Coupled Device
ＣＤ      ：Compact Disc
ＣＤ−Ｒ  ：CD-Recordable
ＣＰＵ    ：Central Processing Unit
Ｄ／Ａ    ：Digital to Analog
ＤＶ      ：Digital Viveo
ＤＶＤ−Ｒ：DVD-Recordable
ＬＣＤ    ：Liquid Crystal Display
ＮＴＳＣ  ：National Television System Committee
ＶＴＲ    ：Video Tape Recorder
【００６１】
【発明の効果】
この発明によれば、電源を投入すると、所定の期間、日付および時刻が表示されるので、これにより日付および時刻を確認することができる。しかも、日付および時刻を表示するために特別のキー操作を必要としない。
【００６２】
また、日付および時刻が表示されている期間であっても、記録を開始することができるので、記録の冒頭が欠けることがない。さらに、画像の中に日付および時刻が表示されても、記録を開始すると、日付および時刻は表示されなくなるので、日付および時刻が画像の中に含まれて記録されるものと間違えることもない。
【図面の簡単な説明】
【図１】この発明の一形態を示す系統図である。
【図２】この発明の一形態を示すフローチャートである。
【図３】この発明を説明するための図である。
【図４】この発明における表示例を示す図である。
【図５】この発明の他の形態を示すフローチャートである。
【符号の説明】
１０…ビデオカメラ一体型ＶＴＲ、１１…撮像部、１２…信号処理回路、１４…記録回路、１５…回転磁気ヘッド、１６…磁気テープ、１７…再生回路、２３…表示回路、２４…表示デバイス、３１…マイクロコンピュータ、３２…時計回路、３３…信号形成回路、３４…操作ボタン
【図１】
0004277150.tif 000002
【図２】
0004277150.tif 000003
【図３】
0004277150.tif 000004
【図４】
0004277150.tif 000005
【図５】
0004277150.tif 000006